(57)【要約】公衆警報システム（ＰＷＳ）データを受信する方法は、ユーザ機器（ＵＥ）において、公衆警報システム（ＰＷＳ）メッセージを受信することを含む。ＵＥは、ＰＷＳメッセージが、タイプ２ＰＷＳメッセージであることを決定する。タイプ２ＰＷＳメッセージは、タイプ２ＰＷＳデータが、タイプ２ＰＷＳデータ配信機構を使用して配信されることを示す。タイプ２ＰＷＳデータは、タイプ２ＰＷＳデータ配信機構を使用して受信される。一実施形態において、タイプ２ＰＷＳデータは、ヒト読み取り可能な英数字データ以外である。
2018535583.tif 000002
【特許請求の範囲】
【請求項１】
方法であって、前記方法は、
ユーザ機器（ＵＥ）において、公衆警報システム（ＰＷＳ）メッセージを受信することと、
前記ＵＥにおいて、前記ＰＷＳメッセージがタイプ２ＰＷＳメッセージであることを決定することであって、前記タイプ２ＰＷＳメッセージは、タイプ２ＰＷＳデータがタイプ２ＰＷＳデータ配信機構を介して配信されることを示す、ことと、
前記タイプ２ＰＷＳデータ配信機構を使用して、前記タイプ２ＰＷＳデータを受信することと
を含む、方法。
【請求項２】
前記タイプ２ＰＷＳデータは、ヒト読み取り可能な英数字データ以外である、請求項１に記載の方法。
【請求項３】
前記タイプ２ＰＷＳデータを受信することは、マルチメディアブロードキャストマルチキャストサービス（ＭＢＭＳ）チャネルを使用することを含む、請求項１に記載の方法。
【請求項４】
前記ＰＷＳメッセージは、一時モバイルグループ識別（ＴＭＧＩ）、インターネットプロトコル（ＩＰ）マルチキャストアドレス、またはマルチキャスト制御チャネル（ＭＣＣＨ）メッセージのうちの少なくとも１つを含み、前記ＴＭＧＩ、前記ＩＰマルチキャストアドレス、または前記ＭＣＣＨメッセージのうちの前記少なくとも１つは、前記ＭＢＭＳチャネルのためのＭＢＭＳ構成情報を含む、請求項３に記載の方法。
【請求項５】
前記ＰＷＳメッセージが前記タイプ２ＰＷＳメッセージであることを決定することに応答して、マルチキャスト制御チャネル（ＭＣＣＨ）を受信することをさらに含み、前記ＭＣＣＨは、前記ＭＢＭＳチャネルに関連付けられたＭＢＭＳ構成情報を含む、請求項３に記載の方法。
【請求項６】
前記ＰＷＳメッセージは、ネットワーク識別子、周波数識別子、またはセル識別子のうちの少なくとも１つを含む、請求項１に記載の方法。
【請求項７】
前記ＰＷＳメッセージがタイプ２ＰＷＳメッセージであることを決定することに応答して、前記ＵＥにおいて前記ＰＷＳメッセージに関する情報、またはそれによって搬送される情報を表示しないようにすることをさらに含む、請求項１に記載の方法。
【請求項８】
前記ＰＷＳメッセージは、メッセージ識別子を前記ＰＷＳメッセージのヘッダ内に含み、前記ＰＷＳメッセージがタイプ２ＰＷＳメッセージであることを決定することは、前記メッセージ識別子を検出することを含む、請求項１に記載の方法。
【請求項９】
前記ＰＷＳメッセージは、ペイロード識別子を含み、前記ＰＷＳメッセージがタイプ２ＰＷＳメッセージであることを決定することは、前記ペイロード識別子を検出することを含む、請求項１に記載の方法。
【請求項１０】
前記ＰＷＳメッセージは、解読情報を含み、前記方法は、
前記ＰＷＳメッセージ内の前記解読情報に基づいて、解読キーを決定することと、
前記解読キーを使用して、前記受信されたタイプ２ＰＷＳデータを解読することと
をさらに含む、請求項１に記載の方法。
【請求項１１】
デバイスであって、前記デバイスは、
メモリと、
前記メモリと通信可能に結合されている少なくとも１つのハードウェアプロセッサと
を備え、
前記少なくとも１つのハードウェアプロセッサは、
ユーザ機器（ＵＥ）において、公衆警報システム（ＰＷＳ）メッセージを受信することと、
前記ＵＥにおいて、前記ＰＷＳメッセージが、タイプ２ＰＷＳメッセージであることを決定することであって、前記タイプ２ＰＷＳメッセージは、タイプ２ＰＷＳデータがタイプ２ＰＷＳデータ配信機構を介して配信されることを示す、ことと、
前記タイプ２ＰＷＳデータ配信機構を使用して、前記タイプ２ＰＷＳデータを受信することと
を行うように構成されている、デバイス。
【請求項１２】
前記タイプ２ＰＷＳデータは、ヒト読み取り可能な英数字データ以外である、請求項１１に記載のデバイス。
【請求項１３】
前記タイプ２ＰＷＳデータを受信することは、マルチメディアブロードキャストマルチキャストサービス（ＭＢＭＳ）チャネルを使用することを含む、請求項１１に記載のデバイス。
【請求項１４】
前記ＰＷＳメッセージは、一時モバイルグループ識別（ＴＭＧＩ）、インターネットプロトコル（ＩＰ）マルチキャストアドレス、またはマルチキャスト制御チャネル（ＭＣＣＨ）メッセージのうちの少なくとも１つを含み、前記ＴＭＧＩ、前記ＩＰマルチキャストアドレス、または前記ＭＣＣＨメッセージのうちの前記少なくとも１つは、前記ＭＢＭＳチャネルのためのＭＢＭＳ構成情報を含む、請求項１３に記載のデバイス。
【請求項１５】
前記少なくとも１つのハードウェアプロセッサは、前記ＰＷＳメッセージが前記タイプ２ＰＷＳメッセージであることを決定することに応答して、マルチキャスト制御チャネル（ＭＣＣＨ）を受信するようにさらに構成され、前記ＭＣＣＨは、前記ＭＢＭＳチャネルに関連付けられたＭＢＭＳ構成情報を含む、請求項１３に記載のデバイス。
【請求項１６】
前記ＰＷＳメッセージは、ネットワーク識別子、周波数識別子、またはセル識別子のうちの少なくとも１つを含む、請求項１１に記載のデバイス。
【請求項１７】
前記少なくとも１つのハードウェアプロセッサは、前記ＰＷＳメッセージがタイプ２ＰＷＳメッセージであることを決定することに応答して、前記ＵＥにおいて前記ＰＷＳメッセージに関する情報、またはそれによって搬送される情報を表示しないようにするようにさらに構成されている、請求項１１に記載のデバイス。
【請求項１８】
前記ＰＷＳメッセージは、メッセージ識別子またはペイロード識別子のうちの少なくとも１つを含み、前記ＰＷＳメッセージがタイプ２ＰＷＳメッセージであることを決定することは、前記メッセージ識別子または前記ペイロード識別子のうちの少なくとも１つを検出することを含む、請求項１１に記載のデバイス。
【請求項１９】
前記ＰＷＳメッセージは、解読情報を含み、前記少なくとも１つのハードウェアプロセッサは、
前記ＰＷＳメッセージ内の前記解読情報に基づいて、解読キーを決定することと、
前記解読キーを使用して、前記受信されたタイプ２ＰＷＳデータを解読することと
を行うようにさらに構成されている、請求項１１に記載のデバイス。
【請求項２０】
命令を含む非一過性コンピュータ読み取り可能な媒体であって、前記命令は、実行されると、
ユーザ機器（ＵＥ）において、公衆警報システム（ＰＷＳ）メッセージを受信することと、
前記ＵＥにおいて、前記ＰＷＳメッセージがタイプ２ＰＷＳメッセージであることを決定することであって、前記タイプ２ＰＷＳメッセージは、タイプ２ＰＷＳデータがタイプ２ＰＷＳデータ配信機構を介して配信されることを示す、ことと、
前記タイプ２ＰＷＳデータ配信機構を使用して、前記タイプ２ＰＷＳデータを受信することと
を含む動作をコンピューティングデバイスに行わせる、非一過性コンピュータ読み取り可能な媒体。
【発明の詳細な説明】
【技術分野】
【０００１】
（優先権の主張）
本願は、米国特許出願第１４／８６２，１４３号（２０１５年９月２２日出願）に対する優先権を主張し、上記出願の全内容は、参照により本明細書に組み込まれる。
【０００２】
（技術分野）
本開示は、無線通信システムにおけるデータ伝送に関し、より具体的には、公衆警報システム（ＰＷＳ）データを受信することに関する。
【背景技術】
【０００３】
（背景）
ある場合、公衆警報システム（ＰＷＳ）は、災害および他の緊急事態に関するタイムリーかつ正確な警告、警報、および情報を提供するために使用され得る。ある場合、ＰＷＳシステムは、韓国公衆警告システム（ＫＰＡＳ）、欧州警告システム（ＥＵ−ＡＬＥＲＴ）、商業移動体警報システム（ＣＭＡＳ）、および地震津波警報システム（ＥＴＷＳ）等の地域緊急サービスのためのフレームワークを含み得る。
【発明の概要】
【課題を解決するための手段】
【０００４】
本開示は、公衆警報システム（ＰＷＳ）データを受信することを対象とする。ある場合、ユーザ機器（ＵＥ）が、タイプ１ＰＷＳデータを受信し得る。タイプ１ＰＷＳデータは、ＵＥによって処理され、プレーンテキストフォーマットにおけるヒト読み取り可能な英数字警報メッセージとして提示（例えば、表示）され得る。ある場合、ＰＷＳデータは、タイプ１ＰＷＳデータ配信機構を使用して配信され得る。タイプ１ＰＷＳデータ配信機構では、ＰＷＳデータは、ＰＷＳメッセージ内にカプセル化される。ＰＷＳメッセージは、ＰＷＳ警報通知メッセージ、ＰＷＳ警報メッセージ、または警告メッセージとも称され得る。ユーザ機器（ＵＥ）は、無線インターフェース上で既知の論理制御チャネルを監視し、ＰＷＳメッセージを既知の論理制御チャネル上で受信し得る。ＵＥは、ＰＷＳデータをＰＷＳメッセージから抽出し得る。ＵＥは、抽出されたＰＷＳデータをユーザに見えるようにＵＥに表示し得る。ある場合、ＰＷＳデータは、暗号解除され得る。
【０００５】
ある場合、タイプ１ＰＷＳデータ配信機構は、タイプ２ＰＷＳデータを伝送するために使用されないこともある。タイプ２ＰＷＳデータは、タイプ１ＰＷＳデータより豊富な特徴を含むデータコンテンツを含み得る。タイプ２ＰＷＳデータの例は、画像データ、ビデオデータ、マップデータ、オーディオデータ、および車両制御データ、ならびに他のタイプのデータを含み得る。より豊富な特徴またはコンテンツを含むことに起因して、タイプ２ＰＷＳデータは、タイプ１ＰＷＳデータより大きいデータサイズを有し得る。ＰＷＳメッセージのペイロードサイズは、限定され得るので、タイプ２ＰＷＳデータは、大きすぎてＰＷＳメッセージ内に適合しないこともある。加えて、ＰＷＳメッセージを搬送する制御チャネルは、高データレートをサポートしないこともあり、したがって、ＰＷＳメッセージ内でのタイプ２ＰＷＳデータの伝送は、時間がかかりすぎであり得、制御チャネルの多くの帯域幅を使用しすぎであり得、または非効率的であり得る。
【０００６】
ある場合、タイプ２ＰＷＳデータは、タイプ２ＰＷＳデータ配信機構を使用して、ＵＥに配信され得る。タイプ２ＰＷＳデータ配信機構では、ＰＷＳデータは、ＰＷＳメッセージ外で配信され得る。タイプ２ＰＷＳデータ配信機構の例は、マルチメディアブロードキャストマルチキャストサービス（ＭＢＭＳ）チャネル上でＰＷＳデータを伝送すること、ユニキャストメッセージを使用してＰＷＳデータを伝送すること、またはＰＷＳメッセージと異なるブロードキャストメッセージを使用してＰＷＳデータを伝送することを含む。ブロードキャストメッセージは、ＴＶ、ワールドワイド・インターオペラビリティ・フォー・マイクロウェーブ・アクセス（ＷｉＭａＸ）、Ｗｉ−Ｆｉ、衛星、または他の典型的にはＰＷＳのために採用されないブロードキャストタイプチャネルを使用して、伝送され得る。
【０００７】
ある場合、異なるタイプのＰＷＳメッセージが、タイプ２ＰＷＳデータ配信機構のために使用され得る。例えば、２つのタイプのＰＷＳメッセージが、使用され得る。タイプ１ＰＷＳメッセージは、タイプ１ＰＷＳデータ配信機構に関連付けて使用されるＰＷＳメッセージを含み得る一方、タイプ２ＰＷＳメッセージは、タイプ２ＰＷＳデータ配信機構に関連付けて使用され得る。ある場合、タイプ２ＰＷＳメッセージは、ＰＷＳデータを搬送しないこともあり、したがって、ＵＥにおいてユーザに表示されないこともある。代わりに、タイプ２ＰＷＳメッセージは、ＰＷＳデータを受信すべき方法および場所のうちの少なくとも１つをＵＥに命令または指示し得るＰＷＳサービスのための制御情報を搬送し得る。例えば、ＰＷＳデータは、マルチメディアブロードキャストマルチキャストサービス（ＭＢＭＳ）チャネルを使用して伝送され得、タイプ２ＰＷＳメッセージは、ＭＢＭＳチャネルに関連する情報を提供するために使用され得る。ある場合、タイプ１およびタイプ２ＰＷＳメッセージは、同一メッセージ構造を使用し得、したがって、上位適合性が、維持される。図８および関連付けられた説明は、ＰＷＳデータ、ＰＷＳメッセージ、およびＰＷＳデータ配信機構の追加の詳細を提供する。
【図面の簡単な説明】
【０００８】
【図１】図１は、公衆警報システム（ＰＷＳ）データを受信する例示的無線通信システムである。
【図２】図２は、マルチメディアブロードキャストマルチキャストサービス（ＭＢＭＳ）チャネルを使用してＰＷＳデータを伝送する例示的無線通信システムである。
【図３】図３は、ＰＷＳデータを受信するための例示的方法を図示するフロー図である。
【図４】図４は、例示的ユーザ機器デバイスを図示する概略ブロック図である。
【図５】図５は、例示的基地局を図示する概略ブロック図である。
【図６Ａ】図６は、図６Ａおよび６Ｂによって構成され、例示的ＭＢＳＦＮＡｒｅａＣｏｎｆｉｇｕｒａｔｉｏｎメッセージを示す。
【図６Ｂ】図６は、図６Ａおよび６Ｂによって構成され、例示的ＭＢＳＦＮＡｒｅａＣｏｎｆｉｇｕｒａｔｉｏｎメッセージを示す。
【図７】図７は、ＰＷＳメッセージがタイプ２ＰＷＳメッセージであることを示すメッセージ識別子のための例示的仕様を示す。
【図８】図８は、例示的ＰＷＳ層を図示する、ブロック図である。
【発明を実施するための形態】
【０００９】
種々の図面における同一参照番号および記号は、同一要素を示す。
【００１０】
図１は、ＰＷＳデータを受信する例示的無線通信システム１００である。ある場合、ＵＥは、ＰＷＳメッセージを受信し得る。ＵＥは、ＰＷＳメッセージがタイプ２ＰＷＳメッセージであることを決定し得る。ある場合、ＰＷＳメッセージは、メッセージ識別子をＰＷＳメッセージの特定の部分（例えば、ヘッダ）内に含み得、メッセージ識別子は、ＰＷＳメッセージがタイプ２ＰＷＳメッセージであることを示す。ある場合、ＰＷＳメッセージは、ペイロード識別子を含み得、ペイロード識別子は、ＰＷＳメッセージがタイプ２ＰＷＳメッセージであることを示す。ある場合、ＰＷＳメッセージがタイプ２ＰＷＳメッセージであることを決定することに応答して、ＵＥは、ＰＷＳメッセージに関する情報、またはそれによって搬送される情報を表示しないようにし得る。
【００１１】
タイプ２ＰＷＳメッセージは、ＰＷＳデータがタイプ２ＰＷＳデータ配信機構を使用して配信されることを示し得る。ある場合、タイプ２ＰＷＳメッセージは、ＰＷＳデータを配信するために使用されるトランスポートチャネルの構成情報を含み得る。例えば、タイプ２ＰＷＳメッセージは、ＰＷＳデータを伝送するために使用されるＭＢＭＳチャネルの構成情報を含み得る。ある場合、ＰＷＳデータを配信するために使用されるトランスポートチャネルの構成情報は、マルチキャスト制御チャネル（ＭＣＣＨ）上で伝送され得、ＵＥは、ＭＣＣＨを監視し、構成情報を受信し得る。ＵＥは、タイプ２ＰＷＳデータ配信機構を使用して、ＰＷＳデータを受信し得る。ある場合、ＰＷＳデータは、タイプ２ＰＷＳデータを含み得る。
【００１２】
ある場合、ＰＷＳメッセージは、ＰＷＳデータの解読を促進するための情報（例えば、解読キー）を含み得る。例えば、ＵＥは、ＰＷＳメッセージ内の解読情報に基づいて、解読キーを決定し得る。ＵＥは、解読キーを使用して、受信されたタイプ２ＰＷＳデータを解読し得る。
【００１３】
本明細書に説明される方法およびシステムによる、公衆警報システム（ＰＷＳ）データの配信は、より高いデータレートをサポートするＰＷＳ配信機構を使用して配信され得る豊富なコンテンツを伴うＰＷＳデータを可能にし得る。加えて、ＭＢＭＳまたは他のブロードキャスト／ユニキャストチャネルを使用して、ＰＷＳデータを配信することは、既存のＰＷＳおよびＭＢＭＳシステムの効率的使用を可能にし得る。さらに、タイプ２ＰＷＳメッセージは、タイプ１ＰＷＳメッセージと同一メッセージ構造を使用し得る。したがって、上位適合性が、維持され得、既存のネットワークおよび旧来のＵＥの動作への影響は、限定され得る。さらに、ＰＷＳデータは、システムのセキュリティを向上させる暗号化アルゴリズムを使用して、伝送され得る。
【００１４】
大まかには、例示的無線通信システム１００は、基地局１０６を含む無線通信ネットワーク１１０を含む。例示的無線通信システム１００は、ＵＥ１０２も含む。動作時、ＵＥ１０２は、ＰＷＳメッセージ１２０を基地局１０６から受信する。ＵＥ１０２は、ＰＷＳメッセージ１２０が、処理され、ヒト読み取り可能なテキストとして提示されるべきデータを搬送する旧来の／従来のタイプ１ＰＷＳメッセージではなく、タイプ２ＰＷＳメッセージであることを決定する。タイプ２ＰＷＳメッセージは、ＰＷＳデータ１３０がタイプ２ＰＷＳデータ配信機構を使用して配信されることを示す。図１に示されるように、ＰＷＳデータ１３０は、ＰＷＳメッセージ１２０外で伝送されるが、そのＰＷＳメッセージがタイプ１ＰＷＳメッセージである場合、ＰＷＳデータ１３０は、ＰＷＳメッセージ１２０内で受信され得る。ＵＥは、タイプ２ＰＷＳデータ配信機構を使用して、ＰＷＳデータ１３０を受信する。図２−８および関連付けられた説明は、これらの実装のための追加の詳細を提供する。
【００１５】
要素の一般説明を参照すると、ＵＥは、限定ではないが、モバイル電子デバイス、ユーザデバイス、移動局、サブスクライバステーション、携帯用電子デバイス、モバイル通信デバイス、無線モデム、プッシュツートーク（ＰＴＴ）ディスパッチコンソール、または無線端末と称され得る。ＵＥ（例えば、ＵＥ１０２）の例は、携帯電話、携帯情報端末（ＰＤＡ）、スマートフォン、ＰＴＴディスパッチコンソール、ラップトップ、タブレットパーソナルコンピュータ（ＰＣ）、ポケットベル、携帯用コンピュータ、携帯用ゲームデバイス、ウェアラブル電子デバイス、試験機器、賭博用機械、車／車両、掲示板、ホームアプライアンス、または無線通信ネットワークを介して音声もしくはデータを伝達するためのコンポーネントを有する他のモバイル通信デバイスを含み得る。無線通信ネットワークは、ライセンススペクトルまたは非ライセンススペクトルのうちの少なくとも１つを経由した無線リンクを含み得る。
【００１６】
ＵＥの他の例は、モバイルおよび固定電子デバイスを含む。ＵＥは、モバイル機器（ＭＥ）デバイスと、サブスクライバ識別モジュール（ＳＩＭ）アプリケーション、汎用サブスクライバ識別モジュール（ＵＳＩＭ）アプリケーション、または取り外し可能ユーザ識別モジュール（Ｒ−ＵＩＭ）アプリケーションを含む汎用集積回路カード（ＵＩＣＣ）等の取り外し可能メモリモジュールとを含み得る。用語「ＵＥ」は、ユーザのための通信セッションを終了させ得る任意のハードウェアまたはソフトウェアコンポーネントを指すこともできる。加えて、用語「ユーザ機器」、「ＵＥ」、「ユーザ機器デバイス」、「ユーザエージェント」、「ＵＡ」、「ユーザデバイス」、および「モバイルデバイス」は、本明細書では同義的に使用されることができる。
【００１７】
無線通信ネットワーク１１０は、１つまたは複数の無線アクセスネットワーク（ＲＡＮ）、固定Ｅｔｈｅｒｎｅｔ（登録商標）またはＩＥＥＥ８０２．１１  ＷＬＡＮ等の他のアクセスネットワーク、コアネットワーク（ＣＮ）、および外部ネットワークを含み得る。ＲＡＮは、１つ以上の無線アクセス技術を備え得る。いくつかの実装では、無線アクセス技術は、限定ではないが、グローバルシステムフォーモバイルコミュニケーション（ＧＳＭ（登録商標））、暫定基準９５（ＩＳ−９５）、ユニバーサルモバイルテレコミュニケーションシステム（ＵＭＴＳ）、ＣＤＭＡ２０００（符号分割多重アクセス）、進化型ユニバーサルモバイルテレコミュニケーションシステム（ＵＭＴＳ）、ロングタームエボリューション（ＬＴＥ）、またはＬＴＥ−Ａｄｖａｎｃｅｄであり得る。ある場合、コアネットワークは、進化型パケットコア（ＥＰＣ）であり得る。
【００１８】
ＲＡＮは、ＵＭＴＳ、ＣＤＭＡ２０００、３ＧＰＰ  ＬＴＥ、および３ＧＰＰ  ＬＴＥ−Ａ等の無線アクセス技術を実装する、無線電気通信システムの一部である。多くの用途では、ＲＡＮは、少なくとも１つの基地局を含む。基地局（例えば、基地局１０６）は、システムの固定された部分における全てまたは少なくともいくつかの無線関連機能を制御し得る、無線基地局であり得る。基地局は、ＵＥ１０２が通信するために、それらのアービスエリアまたはセル内で無線インターフェースを提供し得る。基地局または複数の基地局は、広いアービスエリアを提供するようにセルラーネットワークを構成し得る。基地局は、１つもしくは複数のＵＥ、他の基地局、および１つ以上のコアネットワークノードと直接通信する。
【００１９】
図１の要素は、種々の特徴および機能性を実装する種々のコンポーネント部品、部分、またはモジュールを含むように示されるが、これらの要素は、必要に応じて、代わりに、いくつかのサブモジュール、第三者サービス、コンポーネント、ライブラリ等を含み得る。さらに、種々のコンポーネントの特徴および機能性は、必要に応じて、より少ないコンポーネントに組み合わせられることができる。
【００２０】
図２は、ＥＰＣネットワークを使用してＰＷＳデータを伝送するために、ＭＢＭＳチャネルを使用する例示的無線通信システム２００である。しかしながら、ＭＢＭＳチャネルは、異なるアーキテクチャを使用して、他のネットワークによって提供され得る。例示的無線通信システム２００は、Ｍ１インターフェースを経由して基地局２０６と通信可能に結合される、ＭＢＭＳゲートウェイ（ＧＷ）２２４を含む。例示的無線通信システム２００は、Ｍ３インターフェースを経由してマルチセル／マルチキャスト調整エンティティ（ＭＣＥ）２２２と通信可能に結合されるモビリティ管理エンティティ（ＭＭＥ）２２０も含む。ＭＣＥ２２２は、Ｍ２インターフェースを経由して基地局２０６と通信可能に結合される。
【００２１】
ＭＢＭＳ  ＧＷ２２４は、ＭＢＭＳパケットを基地局２０６に送信するように構成されることができるアプリケーション、アプリケーションの組、ソフトウェア、ソフトウェアモジュール、ハードウェア、またはそれらの組み合わせを表す。ある場合、ＭＢＭＳ  ＧＷ２２４は、Ｍ１インターフェースを経由してインターネットプロトコル（ＩＰ）マルチキャストをＭＢＭＳパケットを基地局２０６に転送する手段として使用し得る。Ｍ１インターフェースは、純ユーザプレーンインターフェースであり得、制御プレーンアプリケーション部分は、このインターフェースのために定義されない。ある場合、ＭＢＭＳ  ＧＷ２２４は、ＭＭＥ２２０を介して、ＭＢＭＳセッション制御機能性、例えば、セッション開始、セッション更新、またはセッション停止を行い得る。
【００２２】
ＭＭＥ２２０は、Ｍ３インターフェースを経由してＭＢＭＳセッション制御シグナリングをＭＣＥ２２２に伝送するように構成されることができるアプリケーション、アプリケーションの組、ソフトウェア、ソフトウェアモジュール、ハードウェア、またはそれらの組み合わせを表す。Ｍ３インターフェースは、制御プレーンインターフェースであり得る。ある場合、アプリケーション部分が、このインターフェースのために定義される。アプリケーション部分は、拡張無線ベアラ（Ｅ−ＲＡＢ）レベルでＭＢＭＳセッション制御シグナリングを伝送するために使用され得る。ＭＢＭＳセッション制御シグナリングは、無線構成データを伴わずに伝送され得る。ある場合、ストリーム制御伝送プロトコル（ＳＣＴＰ）が、２地点間シグナリングを提供するために、Ｍ３インターフェースを経由してシグナリングトランスポートとして使用され得る。
【００２３】
ＭＣＥ２２２は、ＭＢＭＳ伝送のための受付制御機能を提供するように構成されることができるアプリケーション、アプリケーションの組、ソフトウェア、ソフトウェアモジュール、ハードウェア、またはそれらの組み合わせを表す。ある場合、ＭＣＥ２２２は、マルチセルＭＢＭＳ伝送のためにマルチキャストブロードキャスト単一周波数ネットワーク（ＭＢＳＦＮ）エリアにおいて受付制御機能を提供し得る。さらに、ＭＣＥ２２２は、ＭＢＭＳ伝送のために基地局２０６によって使用される無線リソース、例えば、時間／周波数リソースを配分し得る。ある場合、ＭＣＥ２２２は、ＭＢＭＳサービスのためのカウンティングおよびカウンティング結果の取得、ＭＢＳＦＮエリア内のＭＢＭＳセッションの再開、ＭＢＳＦＮエリア内のＭＢＭＳセッションの一時停止のうちの１つ以上の機能を提供し得る。
【００２４】
ある場合、例えば、分散型ＭＣＥアーキテクチャでは、ＭＣＥ２２２は、ＭＢＳＦＮの単一基地局のために、前述の機能を管理し得る。ある場合、複数のＭＣＥが、運用、管理、および保守（ＯＡＭ）システムに基づいて、機能を調整し得る。
【００２５】
Ｍ２インターフェースは、制御プレーンインターフェースである。ある場合、アプリケーション部分は、このインターフェースがマルチセル伝送モード基地局のための無線構成データを伝達するために定義され得る。ある場合、ストリーム制御伝送プロトコル（ＳＣＴＰ）が、２地点間シグナリングを提供するために、Ｍ２インターフェースを経由してシグナリングトランスポートとして使用され得る。
【００２６】
例示的無線通信システム２００は、ＵＥ２０２ａ、２０２ｂ、および２０２ｃも含む。ある場合、基地局２０６は、ＰＷＳデータをＭＢＭＳチャネル２３０を経由してＵＥ２０２ａ−ｃのうちの１つ以上のものに伝送する。ある場合、ＰＷＳデータは、タイプ２ＰＷＳデータであり得る。
【００２７】
ある場合、ＭＢＭＳチャネル２３０は、ＭＣＣＨ、マルチキャストトラフィックチャネル（ＭＴＣＨ）、またはそれらの組み合わせを含み得る。ある場合、ＵＥは、ＭＣＣＨを監視することによって、ＭＢＳＦＮエリア内のＭＢＭＳ伝送の構成情報を受信し得る。ＭＣＣＨは、１地点対多地点ダウンリンクチャネルであり、１つまたはいくつかのＭＴＣＨのためのＭＢＭＳスケジューリングおよび制御情報をネットワークからＵＥに伝送するために使用される。ある場合、ＭＣＣＨは、ＭＢＳＦＮ内で利用可能なＭＢＭＳサービス情報のリストを含む。ＭＣＣＨは、周期的に変化し得る。各ＭＣＣＨ期間は、ＭＣＣＨ修正期間と称され得る。次の修正期間においてＭＣＣＨに変更がある場合、ＭＣＣＨ変更通知が、現在のＭＣＣＨ修正期間において周期的に送信され得る。
【００２８】
ある場合、ＵＥ（例えば、ＵＥ２０２ａ−ｃのうちの１つ以上のもの）は、受信されたＰＷＳメッセージがタイプ２ＰＷＳメッセージであることを決定し得る。決定することに応答して、ＵＥは、ＭＣＣＨを監視し、ＰＷＳデータに関連付けられたＭＢＭＳ構成情報を決定し得る。ある場合、基地局２０６は、タイプ２ＰＷＳメッセージの伝送後の所定の期間内において、ＰＷＳデータに関連付けられたＭＢＭＳ構成情報を伝送し得る。ある場合、所定の期間は、タイプ２ＰＷＳメッセージ後の次のｎ番目のサブフレーム、次のｎ番目のスロット、または次のｎ番目の無線フレームであり得る。ＵＥは、ＭＣＣＨを経由して、ＭＢＭＳ構成情報を含むＭＢＭＳ構成メッセージを受信し得る。ある場合、ＭＢＭＳ構成メッセージは、ＭＢＳＦＮＡｒｅａＣｏｎｆｉｇｕｒａｔｉｏｎメッセージであり得る。図６は、例示的ＭＢＳＦＮＡｒｅａＣｏｎｆｉｇｕｒａｔｉｏｎメッセージ６００を示す。
【００２９】
ある場合、ＵＥは、ＭＢＭＳ構成情報をタイプ２ＰＷＳメッセージ内で受信し得る。図３および関連付けられた説明は、これらの実装の追加の詳細を提供する。
【００３０】
図３は、ＰＷＳデータを受信する例示的方法３００を図示するフローチャートである。方法３００は、ブロック３０２から開始し得、公衆警報システム（ＰＷＳ）メッセージが、ユーザ機器（ＵＥ）において受信される。ブロック３０４では、ＵＥは、ＰＷＳメッセージがタイプ２ＰＷＳメッセージであることを決定する。タイプ２ＰＷＳメッセージは、タイプ２ＰＷＳデータがタイプ２ＰＷＳデータ配信機構を使用して配信されることを示す。ある場合、タイプ２ＰＷＳデータは、英数字データと異なるデータを含む。例えば、タイプ２ＰＷＳデータは、画像データ、ビデオデータ、マップデータ、オーディオデータ、車両制御データ、またはそれらの組み合わせを含み得る。表１は、例示的タイプ２ＰＷＳメッセージを示す。
【表１】
2018535583.tif 000003
【００３１】
ある場合、タイプ２ＰＷＳメッセージは、タイプ１ＰＷＳメッセージと同一メッセージ構造を使用する。例えば、表１に示されるように、例示的タイプ２ＰＷＳメッセージは、ヘッダと、ペイロードとを含み得る。ヘッダは、メッセージの最初の１１バイトを含み得、ペイロードは、メッセージにおける残りのバイトを含み得る。
【００３２】
ある場合、例えば、１つの警告に関連付けられた合計ペイロードが、１つのＰＷＳメッセージ内のペイロードのサイズを超えるとき、合計ペイロードは、互いに関連付けられた複数のＰＷＳメッセージ内で伝送され得る。ある場合、タイプ２ＰＷＳメッセージは、「ＰＷＳ＋タグ」フィールドをヘッダ内に含み得、「ＰＷＳ＋タグ」は、ＰＷＳメッセージに関連付けられたＰＷＳメッセージのシリアル番号とメッセージ識別子とを含み得る。したがって、ＵＥは、関連付けられたＰＷＳメッセージのペイロードを組み合わせ得る。ある場合、関連付けられたＰＷＳメッセージは、順に、または順番を外れて伝送され得る。ある場合、タイプ２ＰＷＳメッセージは、メッセージパラメータフィールドをヘッダ内に含み得る。メッセージパラメータフィールドは、関連付けられたＰＷＳメッセージにおけるペイロードの順番を示し得る。例えば、組み合わせられたペイロードが、３つの関連付けられたＰＷＳメッセージ内で配信される場合、これらの３つの関連付けられたＰＷＳメッセージのメッセージパラメータフィールドは、それぞれ、「００１０  ００００」、「００１０  ０００１」、および「００１０  ０００２」に設定され得る。
【００３３】
ある場合、タイプ２ＰＷＳメッセージは、メッセージ識別子フィールドをヘッダ内に含み得る。ある場合、メッセージ識別子は、ＰＷＳメッセージがタイプ２ＰＷＳメッセージであることを示し得る。図７は、ＰＷＳメッセージがタイプ２ＰＷＳメッセージであることを示すメッセージ識別子のための例示的仕様７００を示す。例えば、所定の値が、ＰＷＳメッセージがタイプ２ＰＷＳメッセージであることを示すために使用され得る。ＵＥが、受信されたＰＷＳメッセージのヘッダ内のメッセージ識別子フィールドが所定の値に設定されることを決定する場合、ＵＥは、ＰＷＳメッセージをタイプ２ＰＷＳメッセージとして処理し得る。ＵＥが、受信されたＰＷＳメッセージのヘッダ内のメッセージ識別子フィールドが所定の値に設定されていないことを決定する場合、ＵＥは、ＰＷＳメッセージをタイプ１ＰＷＳメッセージとして処理し得る。ある場合、所定の値は、電気通信規格において規定され得る。代替として、または組み合わせて、所定の値は、ＵＥにブロードキャストされ得る。
【００３４】
ある場合、タイプ２ＰＷＳメッセージは、ペイロード識別子をペイロードフィールド内に含み得る。ある場合、ペイロード識別子は、ＰＷＳメッセージがタイプ２ＰＷＳメッセージであることを示し得る。ある場合、ペイロード識別子は、ペイロードフィールド内の最初のバイトであり得る。したがって、ＵＥが、ペイロードフィールド内の最初のバイトがペイロード識別子であることを決定する場合、ＵＥは、ＰＷＳメッセージをタイプ２ＰＷＳメッセージとして処理し得る。表２は、例示的ペイロード識別子を示す。
【表２】
2018535583.tif 000004
【００３５】
表２に示されるように、ペイロード識別子は、画像記述ビットを含み得る。画像記述ビットは、ＰＷＳデータが画像データを含むかどうかを示し得る。例えば、画像記述ビットが、「１」に設定される場合、ＰＷＳデータは、画像データを含み得る。ある場合、画像データは、ＰＷＳメッセージのペイロード内に含まれ得る。画像記述ビットが、「０」に設定される場合、ＰＷＳデータは、画像データを含まないであろう。ペイロード識別子は、テキストビットも含み得る。テキストビットが、「１」に設定される場合、ＰＷＳデータは、テキストデータを含み得る。ある場合、テキストデータは、ＰＷＳメッセージのペイロード内に含まれ得る。テキストビットが、「０」に設定される場合、ＰＷＳデータは、テキストデータを含まないであろう。表２に図示されないが、ある場合、ペイロード識別子は、他のタイプのＰＷＳデータ、例えば、ビデオデータ、マップデータ、車両制御データ、オーディオデータ等を示すために、追加のデータタイプフィールドを含み得る。
【００３６】
ペイロード識別子は、ＭＢＭＳ識別子ビットを含み得る。前述のように、ある場合、ＰＷＳデータは、ＭＢＭＳチャネルを使用して、配信され得る。ある場合、ＭＢＭＳ識別子ビットは、ＭＢＭＳチャネルに関連付けられたＭＢＭＳ構成情報がＰＷＳメッセージ内に含まれるかどうかを示すために使用され得る。例えば、ＭＢＭＳ識別子ビットが、「１」に設定される場合、ＵＥは、ＭＢＭＳチャネルに関連付けられたＭＢＭＳ構成情報がＰＷＳメッセージ内に含まれることを決定し得る。ＭＢＭＳ識別子ビットが、「０」に設定される場合、ＵＥは、ＭＢＭＳチャネルに関連付けられたＭＢＭＳ構成情報がＰＷＳメッセージ内に含まれないことを決定し得る。
【００３７】
ある場合、ＭＢＭＳ識別子ビットが、「１」に設定される場合、ＵＥは、ＭＢＭＳ記述子の後にペイロード識別子が続くかどうかをさらに決定し得る。表３は、例示的ＭＢＭＳ記述子を示す。しかしながら、表３に示される記述子構成は、他のビット（例えば、表２に示されるテキストおよび画像記述子）に適用され得、それによって、タグは、続くデータのタイプ、その後の長さ、次いで、データ自体を識別する。
【表３】
2018535583.tif 000005
【００３８】
表３に示されるように、ＭＢＭＳ記述子は、タグフィールドを含み得る。タグフィールドは、ＭＢＭＳ記述子を示す所定の値に設定され得る。ＭＢＭＳ記述子は、随意に、長さフィールドを含み得る。長さフィールドは、ＭＢＭＳ制御情報ペイロードのバイトの数を含み得る。
【００３９】
ＭＢＭＳ記述子は、ＭＢＭＳ制御情報ペイロードフィールドを含み得る。ＭＢＭＳ制御情報ペイロードフィールドは、ＰＷＳデータを配信するＭＢＭＳチャネルのためのＭＢＭＳ構成情報を含み得る。表４は、第１の例示的ＭＢＭＳ制御情報ペイロードフィールドを示す。
【表４】
2018535583.tif 000006
【００４０】
表４に示されるように、ＭＢＭＳ制御情報ペイロードフィールドは、一時モバイルグループ識別（ＴＭＧＩ）またはインターネットプロトコル（ＩＰ）マルチキャストアドレスのうちの少なくとも１つを含み得る。ＴＭＧＩまたはＩＰマルチキャストアドレスは、ＰＷＳデータのためのベアラサービスを示し得る。ＭＢＭＳ制御情報ペイロードフィールドは、ＰＷＳデータのためのＭＢＭＳベアラサービスの場所依存サブフローを示すフロー識別子を含み得る。ある場合、ＭＢＭＳ制御情報ペイロードフィールドは、ネットワーク識別子、例えば、公衆移動通信網（ＰＬＭＮ）情報フィールドを含み得る。ＰＬＭＮ情報フィールドは、ネットワーク、例えば、それを経由してＰＷＳデータのためのＭＢＭＳチャネルが伝送されるＰＬＭＮを識別し得る。ＭＢＭＳ制御情報ペイロードフィールドは、周波数識別子またはセル識別子も含み得る。周波数識別子またはセル識別子は、ＵＥが追加のＭＢＭＳ情報のために監視し得る周波数（または複数の周波数）またはセル（または複数のセル）を示し得る。ある場合、ＭＢＭＳ制御情報ペイロードフィールドは、開始および停止時間を含み得、それらは、データが利用可能となるであろう開始時間および停止時間を示す。
【００４１】
ブロック３０６では、ＵＥは、随意に、ＰＷＳメッセージ内の解読キーのための情報に基づいて、解読キーを決定する。ある場合、タイプ２ＰＷＳデータ配信機構を使用して配信されるＰＷＳデータは、暗号化され得る。これらまたは他の場合には、ＭＢＭＳ制御情報ペイロードフィールドは、解読キーフィールドを含み得る。ある場合、解読キーフィールドは、解読キーを含み得る。代替として、または組み合わせて、解読キーフィールドは、解読キーインジケータを含み得る。解読キーインジケータは、解読キーを得るためのポインタ、参照、またはリンクであり得る。例えば、解読キーは、モバイル機器、またはＵＩＣＣ、例えば、ＵＳＩＭ上のアプリケーション内に記憶されるキーデータベース内の解読キーのためのインデックスであり得る。承認されたＵＥは、キーインジケータを使用して、キーデータベースから解読キーを読み出し得る。解読キーの代わりに、解読キーインジケータを伝送することは、追加のセキュリティを提供し得る。例えば、キーデータベースへのアクセスを有していない承認されたＵＥは、キーインジケータに基づいて解読キーを決定可能ではないこともある。
【００４２】
ある場合、ＭＢＭＳ制御情報ペイロードフィールドは、ＭＣＣＨ情報フィールドを含み得る。ＭＣＣＨ情報フィールドは、ＰＷＳデータを伝送するＭＢＭＳチャネルに関連付けられたＭＢＭＳ構成情報を含むＭＢＭＳ構成メッセージ、例えば、前述のＭＢＳＦＮＡｒｅａＣｏｎｆｉｇｕｒａｔｉｏｎメッセージを含み得る。表５は、ＭＣＣＨ情報フィールドを含む第２の例示的ＭＢＭＳ制御情報ペイロードを示す。
【表５】
2018535583.tif 000007
【００４３】
図３を参照すると、ブロック３０８では、ＰＷＳメッセージがタイプ２ＰＷＳメッセージであることを決定することに応答して、ＵＥは、ＰＷＳメッセージに関する情報、またはそれによって搬送される情報を表示しないようにし得る。ある場合、ＰＷＳメッセージが、タイプ２ＰＷＳメッセージである場合、ＰＷＳメッセージは、ＰＷＳデータを含まないこともある。したがって、ＵＥは、ＰＷＳメッセージのペイロードを表示しないこともある。ある場合、タイプ２ＰＷＳメッセージは、ＰＷＳデータを含み得る。これらの場合、ＰＷＳメッセージがタイプ２ＰＷＳメッセージであることを決定することに応答して、ＵＥは、ＰＷＳデータがＰＷＳメッセージ内に含まれるかどうかを決定し得る。ＵＥは、表２に議論されるペイロード識別子に基づいて、ＰＷＳデータがＰＷＳメッセージ内に含まれるかどうかを決定し得る。ペイロード識別子が、ＰＷＳメッセージが、テキストデータ、写真データ、または他のデータを含むことを示す場合、ＵＥは、ＰＷＳメッセージを、例えば、ＵＥの画面上に表示し得る。ペイロード識別子が、ＰＷＳメッセージがＰＷＳデータを含むことを示さない場合、ＵＥは、ＰＷＳメッセージを表示しないようにし得る。タイプ２ＰＷＳメッセージが、解読キー／インジケータを含み、ＵＥが、解読キー／インジケータをサポートしない場合、ＵＥは、ブロック３１２を行わないこともある。
【００４４】
ブロック３１０では、ＵＥは、タイプ２ＰＷＳメッセージ内の情報を使用して、タイプ２ＰＷＳデータ配信機構を介して、タイプ２ＰＷＳデータを受信する。ある場合、タイプ２ＰＷＳデータ配信機構は、ＭＢＭＳチャネルを使用して、タイプ２ＰＷＳデータを配信し、ＵＥは、ＭＢＭＳチャネルを経由して、タイプ２ＰＷＳデータを受信する。以下は、ＵＥがＭＢＭＳチャネルを経由してタイプ２ＰＷＳデータを受信するための例示的プロシージャである。
【００４５】
ＵＥは、ＵＥが開始時間を受信し、開始時間がまだ経過していない場合、またはＵＥが終了時間を受信し、終了時間（表４および表５に示されるように）が経過した場合、説明されるＭＢＭＳ情報を読み出さないこともある。ＵＥは、ＵＥが開始時間を受信し、開始時間が経過した場合、またはＵＥが終了時間を受信し、終了時間がまだ経過していない場合、ＭＢＭＳ情報を読み出し得る。
【００４６】
ＵＥは、ＰＷＳデータを伝送するために構成または使用されるであろうＭＢＭＳチャネルを取得するために、ＭＢＭＳ取得プロシージャを行い得る。以下は、ＭＢＭＳ取得プロシージャの例示的仕様である。
【００４７】
ＭＳが、タイプ２ＰＷＳメッセージをサポートし、
【００４８】
ａ）  ＭＢＭＳがＰＷＳサービスを提供するために使用されていることのインジケーションを受信し、かつ
【００４９】
ｂ）  「周波数／セル情報」または「ＰＬＭＮ情報」が、タイプ２ＰＷＳメッセージ内で受信された場合、
【００５０】
３ＧＰＰ  ＴＳ  ２３．１２２（第３．１Ｘ節  ＰＬＭＮ  ｓｅｌｅｃｔｉｏｎ  ｔｒｉｇｇｅｒｅｄ  ｂｙ  ＭＢＭＳ  ＰＷＳ  ｃｏｍｍｕｎｉｃａｔｉｏｎｓ）に規定されるようなＰＬＭＮ選択を行う前に、ＵＥは、受信された場合、「周波数／セル情報」上にＰＬＭＮが存在するか、または「ＰＬＭＮ情報」内で受信されたＰＬＭＮが利用可能であるかどうかをチェックし得る。セル（ＰＬＭＮ）が、見出されなかった場合、プロシージャは、停止され得る。そうでなければ、１つ以上のＰＬＭＮが、「周波数／セル情報」（受信された場合）内で動作するか、またはＰＬＭＮが、利用可能である場合に、「周波数／セル情報」が受信されず、
【００５１】
ａ）  見出されたと報告されたＰＬＭＮのいずれも、登録ＰＬＭＮまたは登録ＰＬＭＮの均等物ではないことと、
【００５２】
ｂ）  見出されたＰＬＭＮのうちの少なくとも１つが、ＭＢＭＳサービスを提供することと、
の条件が満たされる場合、
【００５３】
ＵＥは、
【００５４】
１）  ＥＭＭ−ＩＤＯＬＥモードにある場合、ＰＬＭＮ検索を、受信された場合、「ＰＬＭＮ情報」内のＰＬＭＮに限定するＰＬＭＮ選択を行うか、または
【００５５】
２）  それ以外のＥＭＭ−ＣＯＮＮＥＣＴＥＤモードにある場合、
【００５６】
ｉ）  ３ＧＰＰ  ＴＳ  ２４．３０１［１１］に規定されるようなデタッチプロシージャを行い、次いで、ＰＬＭＮ検索を、受信された場合、「ＰＬＭＮ情報」内のＰＬＭＮに限定するＰＬＭＮ選択を行うか、または
【００５７】
ｉｉ）そうでなければ、ＵＥは、その周波数／セルに対してセル再選択を行い得るか、
のいずれかであり得る。
【００５８】
以下は、ＭＢＭＳ  ＰＷＳ通信によってトリガされるＰＬＭＮ選択のためのＴＳ  ２３．１２２における例示的仕様である。
ＭＳが、タイプ２ＰＷＳメッセージングをサポートし
ａ）  ＭＢＭＳがＰＷＳサービスを提供するために使用されていることのインジケーションを受信し、かつ、
ｂ）未知の仕様に規定されるようなＭＢＭＳ  ＰＷＳ通信のためのＰＬＭＮ選択を行う必要がある場合、
ＭＳは、以下のように進め得る。
ｉ）  ＭＳは、ＲＰＬＭＮの重複値と、ＭＢＭＳ  ＰＷＳ通信に起因するＰＬＭＮ選択が開始される前に使用中であったＰＬＭＮ選択モードの重複値とを記憶し得る。
ｉｉ）  ＭＳは、第４．４項に規定されるようなＰＬＭＮ選択の自動モードに入り、以下のアイテムｉｉｉ）からｘ）における追加の要件を考慮し得る。
ｉｉｉ）未知の仕様に規定されるような「周波数／セル情報」情報要素が、ＵＥによって受信された場合、未知の仕様に規定されるようなＰＷＳ拡張メッセージ「周波数／セル情報」情報要素において、ＭＳによって受信された無線リソース内で動作するＥ−ＵＴＲＡセルによってアドバタイズされＰＬＭＮの中から、ＭＳは、以下である、１つのＰＬＭＮを選定し得る。
１）  ＰＷＳのためのＭＢＭＳを提供する。
２）  ３ＧＰＰ  ＴＳ  ２４．３０１［２３Ａ］に規定されるような「禁止ＰＬＭＮ」のリストまたは「ＥＰＳサービスのための禁止ＰＬＭＮ」のリストのいずれにも存在せず、ＰＬＭＮは、第３．１項に規定されるような「非許可Ｅ−ＵＴＲＡＮを伴うＰＬＭＮ」のリストにも存在しない。
上記の条件１）から２）が満たされる場合、ＭＳは、そのＰＬＭＮでの登録を試み得る。ＰＬＭＮのいずれも、上記の条件１）から２）を満たさない場合、ＭＳは、記憶された重複ＰＬＭＮ選択モードに戻り、さらなるアクションのために、ＲＰＬＭＮの記憶された重複値を使用し得る。
ｉｖ）登録が、「非許可ＰＬＭＮ」または「非許可ＥＰＳサービス」に起因して失敗する場合、ＭＳは、第３．１項に規定されるような禁止ＰＬＭＮの適切なリストを更新し得、かつ以下のいずれかであり得る。
Ａ）  ＰＬＭＮが、ＭＢＭＳサービスを提供する場合、限定されたサービス状態において、選択されたＰＬＭＮ上でＭＢＭＳリッスンを行う。この場合、ＭＳは、ＭＢＭＳデータ取得の持続時間の間、利用可能かつ正当なＰＬＭＮを検索しないこともある。
Ｂ）  記憶された重複ＰＬＭＮ選択モードに戻り、さらなるアクションのために、ＲＰＬＭＮの記憶された重複値を使用する。または
Ｃ）  ＰＬＭＮの選択肢を用いて、ｉｉｉ）に説明されるアクションを再び行い、ＭＳが登録に失敗したＰＬＭＮをさらに除外する。
ＭＳが、上記のＡ）、Ｂ）、またはＣ）を行うかどうかは、最大ＭＳ実装に依存する。
ｖ）  登録が、「非許可ＰＬＭＮ」または「非許可ＥＰＳサービス」以外の原因に起因して失敗する場合、ＭＳは、以下を行い得る。
−  失敗のハンドリングが、禁止ＰＬＭＮのリストの更新を要求する場合、適切なリストを更新する（３ＧＰＰ  ＴＳ  ２４．３０１［２３Ａ］に規定されるように）。
−  失敗のハンドリングが、禁止ＰＬＭＮのリストの更新を要求しない場合（３ＧＰＰ  ＴＳ  ２４．３０１［２３Ａ］に規定されるように）、ＰＬＭＮをＭＳが登録に失敗したＰＬＭＮとして記憶する。
注記１：  ＭＳが登録に失敗したＰＬＭＮを記憶する期間は、実装依存である。
そして、ＭＳは、以下のいずれかを行い得る。
１）  Ａ１）  記憶された重複ＰＬＭＮ選択モードに戻り、さらなるアクションのために、ＲＰＬＭＮの記憶された重複値を使用する。
２）  Ｂ１）ＰＬＭＮの選択肢を用いて、  ｉｉｉ）に説明されるアクションを再び行い、ＭＳが登録に失敗したＰＬＭＮをさらに除外する。または、
３）  Ｃ１）  未知の仕様に規定されるような「周波数／セル情報」情報要素が、ＵＥによって受信される場合に、このＰＬＭＮでの登録が、「非許可ＰＬＭＮ」または「非許可ＥＰＳサービス」に起因して以前に失敗している場合、かつこのＰＬＭＮが、ＭＢＭＳ  ＰＷＳデータを提供する場合、未知の仕様に規定されるような「周波数／セル情報」情報要素内で動作するセルによってアドバタイズされるＰＬＭＮ上の限定されたサービス状態においてＭＢＭＳ  ＰＷＳデータを取得する。この場合、ＭＳは、ＭＢＭＳ  ＰＷＳデータを取得する持続時間の間、利用可能かつ正当なＰＬＭＮを検索しないこともある。
ＭＳが、上記のＡ１）、Ｂ１）、またはＣ１）を行うかどうかは、ＭＳ実装に依存する。
ｖｉ）  ＭＳが、もはや選択されたＰＬＭＮのサービス範囲内にない場合、ＭＳは、記憶された重複ＰＬＭＮ選択モードに戻り、さらなるアクションのために、ＲＰＬＭＮの記憶された重複値を使用し得る。
ｖｉｉ）ＭＳが、選択されたＰＬＭＮ上で好適なセルを見出すことができない場合、ＭＳは、以下のいずれかを行い得る。
４）  Ａ３）ＰＬＭＮが、ＭＢＭＳ  ＰＷＳデータを提供する場合、限定されたサービス状態において、選択されたＰＬＭＮ上でＭＢＭＳ  ＰＷＳデータを取得する。この場合、ＭＳは、ＭＢＭＳ  ＰＷＳデータを取得する持続時間の間、利用可能かつ正当なＰＬＭＮを検索しないこともある。または、
５）  Ｂ３）  記憶された重複ＰＬＭＮ選択モードに戻り、さらなるアクションのために、ＲＰＬＭＮの記憶された重複値を使用する。
ＭＳが、上記のＡ３）またはＢ３）を行うかどうかは、ＭＳ実装に依存する。
ｖｉｉｉ）  ＭＳが、選択されたＰＬＭＮ上にある間、オフに切り替えられ、再びオンに切り替えられる場合、ＭＳは、ＲＰＬＭＮの記憶された重複値をＲＰＬＭＮとして使用し、第４．４．３．１項に規定されるように挙動し得る。
ｉｘ）  ユーザが、選択されたセル上にある間、ＰＬＭＮ選択を開始する場合、ＭＳは、ＰＬＭＮ選択モードの記憶された重複値を削除し、ＲＰＬＭＮの記憶された重複値をＲＰＬＭＮとして使用し、第４．４．３．１項におけるプロシージャ（サービス範囲の欠如からのオン切替または回復のためにに規定されるような）に従い得る。ＭＳは、ＭＳが選択されたＰＬＭＮに正常に登録すると、ＲＰＬＭＮの記憶された重複値を削除し得る。
ｘ）  ＭＳが、もはやＭＢＭＳ  ＰＷＳデータを必要としない場合、ＭＳは、記憶された重複ＰＬＭＮ選択モードに戻り、さらなるアクションのために、ＲＰＬＭＮの記憶された重複値を使用し得る。
注記２：  ＭＳが、選択されたＰＬＭＮにおける登録の失敗に起因してＲＰＬＭＮに戻る場合、ＭＳの上位層は、ＰＬＭＮ選択を再びトリガし、ＭＢＭＳ  ＰＷＳ通信を開始することができる。
ＭＢＭＳ  ＰＷＳ通信のために選択されたＰＬＭＮが、ＶＰＬＭＮである場合、ＭＳは、ＭＢＭＳ  ＰＷＳデータ取得の持続時間の間、より高い優先順位ＰＬＭＮを周期的に走査しないこともある。
ＭＢＭＳ  ＰＷＳデータ通信のために選択されたＲＰＬＭＮとＰＬＭＮとの間の潜在的ピンポンを防止するためのソリューションは、ＭＳ実装特定である。
【００５９】
ブロック３１２では、ブロック３０６に基づいて、ＵＥが、解読キー／インジケータを受信し、ＵＥが、解読キー／インジケータをサポートする場合、ＵＥは、解読キーを使用して、受信されたタイプ２ＰＷＳデータを解読する。
【００６０】
図４は、例示的ユーザ機器デバイス４００を図示する概略ブロック図である。図示されるデバイス４００は、処理ユニット４０２と、コンピュータ読み取り可能な記憶媒体４０４（例えば、ＲＯＭまたはフラッシュメモリ）と、無線通信サブシステム４０６と、ユーザインターフェース４０８と、Ｉ／Ｏインターフェース４１０とを含む。
【００６１】
処理ユニット４０２は、本明細書で上で開示される実装のうちの１つ以上のものと関連して本明細書で説明されるプロセス、ステップ、もしくはアクションのうちの１つ以上のものに関係付けられる命令を実行するように構成される１つ以上の処理コンポーネント（代替として、「プロセッサ」または「中央処理装置」（ＣＰＵ）と称される）を含むことができる。いくつかの実装では、処理ユニット４０２は、測定レポート等の制御情報を生成し、またはネットワークノードからの制御情報等の受信された情報に応答するように構成され得る。処理ユニット４０２は、セル選択／再選択情報または測定レポートのトリガ等の無線リソース管理（ＲＲＭ）決定を行うように構成され得る。処理ユニット４０２は、ランダムアクセスメモリ（ＲＡＭ）および読み取り専用メモリ（ＲＯＭ）等の他の補助コンポーネントを含むこともできる。コンピュータ読み取り可能な記憶媒体４０４は、デバイス４００のオペレーティングシステム（ＯＳ）、および上で説明されるプロセス、ステップ、もしくはアクションのうちの１つ以上のものを行うための種々の他のコンピュータ実行可能ソフトウェアプログラムを記憶するように構成される非一過性媒体によって具現化されることができる。
【００６２】
無線通信サブシステム４０６は、処理ユニット４０２によって提供されるデータ、および／または制御情報のための無線通信を提供するように構成され得る。無線通信サブシステム４０６は、例えば、１つ以上のアンテナ、受信機、伝送機、ローカル発振器、ミキサ、およびデジタル信号処理（ＤＳＰ）ユニットを含むことができる。いくつかの実装では、サブシステム４０６は、多重入出力（ＭＩＭＯ）伝送をサポートすることができる。いくつかの実装では、無線通信サブシステム４０６内の受信機は、アドバンス受信機または基準受信機であり得る。２つの受信機は、同一、類似、または異なる受信機処理アルゴリズムで実装されることができる。
【００６３】
ユーザインターフェース４０８は、例えば、スクリーンもしくはタッチスクリーン（例えば、液晶ディスプレイ（ＬＣＤ）、発光ディスプレイ（ＬＥＤ）、有機発光ディスプレイ（ＯＬＥＤ）、微小電気機械システム（ＭＥＭＳ）ディスプレイ）、キーボードもしくはキーパッド、トラックボール、スピーカ、およびマイクロホンのうちの１つ以上のものを含むことができる。Ｉ／Ｏインターフェース４１０は、例えば、ユニバーサルシリアルバス（ＵＳＢ）インターフェースを含むことができる。種々の他のコンポーネントも、デバイス４００内に含まれることができる。
【００６４】
図５は、例示的基地局デバイス５００を図示する概略ブロック図である。図示されるデバイス５００は、処理モジュール５０２と、有線通信サブシステム５０４と、無線通信サブシステム５０６とを含む。無線通信サブシステム５０６は、ＵＥからデータトラフィックおよび制御トラフィックを受信することができる。いくつかの実装では、無線通信サブシステム５０６は、受信機と、伝送機とを含み得る。有線通信サブシステム５０４は、バックホール接続を介して、他のアクセスノードデバイス間で制御情報を伝送および受信するように構成されることができる。処理モジュール５０２は、本明細書に開示される実装のうちの１つ以上のものと関連して上で説明されるプロセス、ステップ、もしくはアクションのうちの１つ以上のものに関係付けられる命令を実行することが可能である１つ以上の処理コンポーネント（代替として、「プロセッサ」または「中央処理装置」（ＣＰＵ）と称される）を含むことができる。処理モジュール５０２は、ランダムアクセスメモリ（ＲＡＭ）、読み取り専用メモリ（ＲＯＭ）、二次記憶装置（例えば、ハードディスクまたはフラッシュメモリまたは他の非一過性記憶媒体））等の他の補助コンポーネントを含むこともできる。いくつかの実装では、処理モジュール５０２は、制御情報を生成し、またはＵＥから伝送される測定レポート等の受信された情報に応答するように構成され得る。処理モジュール５０２は、少なくとも部分的にセル選択／再選択情報または測定レポート等のＵＥから伝送される情報に基づいて、ＲＲＭ決定を行うように構成され得る。処理ユニット５０２は、有線通信サブシステム５０４または無線通信サブシステム５０６を使用して、無線もしくは有線通信を提供するためのある命令およびコメントを実行することもできる。種々の他のコンポーネントも、デバイス５００に含まれることができる。
【００６５】
図８は、例示的ＰＷＳ層を図示するブロック図８００である。ブロック図８００は、データ配信機構層８１０と、ＰＷＳメッセージ層８２０と、ＰＷＳデータ層８３０と、ディスプレイ層８４０とを含む。ＰＷＳデータ層８３０は、ＰＷＳに関連付けられたデータを含む。ＰＷＳデータ層８３０は、テキストデータ、写真データ、ビデオデータ、または制御情報を含み得る。図８に示されないが、ＰＷＳデータ層８３０は、オーディオデータ、マップデータ、車両データ、またはＰＷＳに関連付けられた任意の他のタイプのデータも含み得る。ある場合、ＰＷＳデータ層８３０内のデータは、異なるタイプでグループ化され得る。例えば、タイプ１ＰＷＳデータは、テキストデータを含み、タイプ２ＰＷＳデータは、写真データ、オーディオデータを含むビデオデータ、マップデータ、車両データ、または豊富なコンテンツを伴う任意の他のデータを含む。
【００６６】
ブロック図８００は、ＰＷＳメッセージ層８２０も含む。ＰＷＳメッセージ層８２０は、タイプ１ＰＷＳメッセージと、タイプ２ＰＷＳメッセージとを含む。前述のように、テキストデータは、タイプ１ＰＷＳメッセージ内でカプセル化され得る一方、制御情報は、タイプ２ＰＷＳメッセージ内に含まれ得る。ある場合、制御情報は、メッセージ識別子、ペイロード識別子、ネットワーク識別子、周波数識別子、セル識別子、ＭＢＭＳ情報、解読情報、またはそれらの組み合わせを含み得る。前述のように、ある場合、ＰＷＳデータは、タイプ２ＰＷＳメッセージ内に含まれず、したがって、タイプ２ＰＷＳメッセージのコンテンツは、表示されないこともある。代替として、いくつかのＰＷＳデータ、例えば、テキストデータまたは写真データが、タイプ２ＰＷＳメッセージ内に含まれ得、ＵＥは、タイプ２ＰＷＳメッセージ内の識別子に基づいて、タイプ２ＰＷＳメッセージがＰＷＳデータを含むかどうかを決定し得る。
【００６７】
ブロック図８００は、ＰＷＳ配信機構層８１０を含む。ＰＷＳ配信機構層８１０は、タイプ１データ配信機構と、タイプ２データ配信機構とを含む。タイプ１データ配信機構は、ＰＷＳメッセージに関連付けられた制御チャネル上でＰＷＳメッセージを配信する。したがって、タイプ１データ配信機構は、タイプ１またはタイプ２ＰＷＳメッセージを配信するために使用されることができる。タイプ１データ配信機構は、ＰＷＳメッセージ内にカプセル化されたテキストデータを配信するために使用され得る。タイプ２データ配信機構は、ＰＷＳメッセージ外でＰＷＳデータを配信する。タイプ１データ配信機構は、ビデオデータ、写真データ、またはＰＷＳに関連付けられた他のデータを配信するために使用され得る。ある場合、いくつかの制御情報、例えば、図８における制御＿１は、タイプ２ＰＷＳメッセージ内で配信され得る。ある場合、いくつかの制御情報、例えば、図８における制御＿２は、タイプ２データ配信機構を使用して配信され得る。
【００６８】
ブロック図８００は、ディスプレイ層８４０も含む。ディスプレイ層８４０は、表示される情報を含む。ある場合、データコンテンツ、例えば、ビデオデータ、写真データ、またはテキストデータが、表示され、制御情報、例えば、図８における制御＿１または制御＿２は、表示されない。
【００６９】
動作が特定の順序で図面に描写されているが、これは、そのような動作が、示される特定の順序で、または連続的順序に行われること、もしくは全ての図示される動作が行われることを要求するものとして理解されるべきではない。ある状況では、マルチタスクおよび並列処理が採用され得る。さらに、本明細書に説明される実装における種々のシステムコンポーネントの分離は、全ての実装においてそのような分離を要求するものとして理解されるべきではなく、説明されるプログラムコンポーネントおよびシステムが、概して、信号ソフトウェア製品にともに組み込まれ、または複数のソフトウェア製品にパッケージ化され得ることを理解されたい。
【００７０】
さらに、離散または別個として種々の実装で説明および図示される技法、システム、サブシステム、ならびに方法は、他のシステム、モジュール、技法、または方法と組み合わせられ、もしくは統合され得る。互いに連結される、または直接連結される、もしくは通信するものとして示される、または議論される他のアイテムは、電気的、機械的、もしくは別様であるかどうかにかかわらず、あるインターフェース、デバイス、または中間コンポーネントを通して、間接的に連結され、もしくは通信し得る。変更、置換、および改変の他の実施例が、当業者によって解明可能であり、行われ得る。
【００７１】
詳細な説明は、種々の実装に適用されるような本開示の特徴を示し、説明し、指摘しているが、図示される方法およびシステムの形態および詳細の種々の省略、置換、および変更が当業者によって行われ得ることが理解されるであろう。加えて、方法ステップの順序は、それらが請求項の中で出現する順序によって示唆されない。
【図１】
2018535583.tif 000008
【図２】
2018535583.tif 000009
【図３】
2018535583.tif 000010
【図４】
2018535583.tif 000011
【図５】
2018535583.tif 000012
【図６Ａ】
2018535583.tif 000013
【図６Ｂ】
2018535583.tif 000014
【図７】
2018535583.tif 000015
【図８】
2018535583.tif 000016
【国際調査報告】
2018535583.tif 000017
2018535583.tif 000018